(57)【特許請求の範囲】
【請求項１】
底板部から複数の側板部とその支柱を立設することにより飼育室を形成した観賞魚用水槽において、
前記支柱の内部に、排水路を上下方向に形成し、
支柱の下端部に、排水路と飼育室内とを連通する流入口を設け、
支柱の上部であって標準水位よりも下の位置に、排水路と飼育室外とを連通する排水口を突設し、
該排水口を、排水ホースを接続可能に構成し、
排水路の上部に、該排水路内に嵌合して上下動可能な閉子を設け、
該閉子に、該閉子を下降させた閉状態では排水口よりも下の位置で排水路をシールし、閉子を上昇させた開状態では排水口よりも上の位置で排水路をシールするシール部を設けた、
ことを特徴とする観賞魚用水槽。
【請求項２】
請求項１に記載の観賞魚用水槽において、
前記排水路を標準径部とその上部の拡径部とで構成し、
前記閉子は、標準径部に嵌合してシールする第１シール部と拡径部に嵌合してシールする第２シール部とを備え、閉子を下降させた状態で第１シール部が排水口よりも下でシールして閉状態となり、閉子を上昇させた状態で第２シール部が排出口よりも上でシールして開状態となるように排水口を配置した、
ことを特徴とする請求項１に記載の観賞魚用水槽。
【発明の詳細な説明】
【０００１】
【発明の属する技術分野】
本発明は、主として金魚や熱帯魚等の観賞魚を飼育するための観賞魚用水槽に関する。
【０００２】
【従来の技術】
インテリアの一種として、又、子供の情操教育の一環として金魚や熱帯魚等の観賞魚を家庭内で飼育観賞することが従前から盛んに行われている。このような観賞魚の飼育には、側面が透明な観賞魚用水槽が好適である。
【０００３】
この観賞魚用水槽を用いた観賞魚の飼育では、観賞魚用水槽内を清浄な状態に保つことが大事である。このため、飼育者は、食べ残された餌や排泄物などによって観賞魚用水槽内が汚れると、水を交換したり、清掃したりする。この場合、バケツで汲み出したり、排水ポンプを使用したり、或いは、ホースを使用する。そして、ホースの場合には、ホースの一端を観賞魚用水槽内に投入した状態で、他端を口で吸ってホース内に水を満たしてから指で他端出口を閉じ、その後、ホースの他端を観賞魚用水槽の底面よりも下に下げて出口を開放する。こうすると、ホース出入口の高低差によって水を排出できる。
【０００４】
【発明が解決しようとする課題】
しかしながら、ホースを使用する方法では、飼育者が口で吸うことでホース内に水を満たすので、強く吸い込む必要が生じる反面、吸い込み過ぎると観賞魚用水槽内の汚れた水が口の中に入ってしまうので好ましい方法とはいえない。また、バケツを使用する方法は多大な労力を必要とし、排水ポンプなどを使用する場合には、別途ポンプを用意しなければならないので煩雑である。
【０００５】
本発明は、このような事情に鑑みてなされたものであり、ポンプを使用することなく、水を簡単に排出できる観賞魚用水槽を提供することにある。
【０００６】
【課題を解決するための手段】
請求項１に記載の発明は、底板部から複数の側板部とその支柱を立設することにより飼育室を形成した観賞魚用水槽において、前記支柱の内部に排水路を上下方向に形成し、支柱の下端部に排水路と飼育室内とを連通する流入口を設け、支柱の上部であって標準水位よりも下の位置に排水路と飼育室外とを連通する排水口を突設し、該排水口を、排水ホースを接続可能に構成し、排水路の上部に、該排水路内に嵌合して上下動可能な閉子を設け、該閉子に、該閉子を下降させた閉状態では排水口よりも下の位置で排水路をシールし、閉子を上昇させた開状態では排水口よりも上の位置で排水路をシールするシール部を設けたことを特徴とする。
なお、「標準水位」とは、水槽使用時における標準的な水位、即ち、設計上の使用予定水位を意味し、ある程度の上下許容範囲がある。
【０００８】
請求項２に記載の発明は、請求項１に記載の発明において、前記排水路を標準径部とその上部の拡径部とで構成し、前記閉子に、標準径部に嵌合してシールする第１シール部と拡径部に嵌合してシールする第２シール部とを設け、閉子を下降させた状態で第１シール部が排水口よりも下でシールして閉状態となり、閉子を上昇させた状態で第２シール部が排出口よりも上でシールして開状態となるように排水口を配置したことを特徴とする。
【００１０】
【発明の実施の形態】
以下、本発明の実施の形態を図面に基づいて説明する。
図１は本発明が適用される観賞魚用水槽１（以下、単に水槽１という。）の平面図、図２は正面図、図３は右側面図である。
【００１１】
これらの図に示すように、水槽１は、底板部２及び鍔部３を有する底板部材４と、側板部（５，６）と、側板部同士を接続する支柱（７，８）とを有し、底板部２の縁から側板部（５，６）と支柱（７，８）とを立設することによって観賞魚及び水を入れるための飼育室９を形成した上面開放の箱状体である。
なお、この水槽１の上面は、開放したままでもよいが、通気孔を設けた蓋部材や照明部材を取り付けてもよい。
【００１２】
底板部材４は合成樹脂材等によって構成された板状の部材であり、鍔部３の厚さは、底板部２よりも厚くされている。これにより、底板部２と鍔部３との境界部分には段差が形成され、底板部２は鍔部３よりも一段低い凹部として設けられる。そして、この段差に沿って側板部（５，６）や支柱（７，８）が配設される。さらに、側板部（５，６）及び支柱（７，８）と底板部２との境界部分はシール材によってシールされ、液密性が確保されている。
【００１３】
側板部は、主側板部５と背面板部６とで構成される。主側板部５は、水槽１の前面及び左右側面を区画する部材であり、本実施形態では上方から見て略コ字状に屈曲された板材である。そして、この主側板部５は、飼育室９が外側から視認できるように、透視可能な材料、例えば、ガラスあるいはアクリル等の合成樹脂材によって作製されている。また、背面板部６は水槽１の背面を区画する部材であり、矩形状の板材、例えば、主側板部５と同じ材質のガラスあるいは合成樹脂材によって作製されている。
【００１４】
支柱は、主側板部５と背面板部６とを接合するための部材であり、背面板部６の左側に配置される左側支柱７と、背面板部６の右側に配置される右側支柱８とからなる。そして、左側支柱７は、水槽１における左後側の隅角部に配設され、右側支柱８は、水槽１における右後側の隅角部に配設される。
これらの各支柱７，８には各板部５，６の縁部が嵌合、当接する当接部が形成され、各支柱７，８と各板部５，６との境界部分はシール材によって液密性が確保されている。
【００１５】
そして、右側支柱８には、飼育室９に溜められた水を飼育室９の外部、つまり、水槽１外に排出するための排水機構が設けられている。以下、この排水機構について詳細に説明する。
【００１６】
この排水機構は、図４に示すように、右側支柱８の内部に上下方向に形成された排水路１１と、右側支柱８の下端部に突設され、飼育室９と排水路１１の下端部とを連通する入口管１２と、右側支柱８の上部側面に突設され、水槽１の外部と排水路１１の上部とを連通する出口管１３と、右側支柱８の上部であって排水路１１内に嵌合された閉子１４とで概略構成されている。
【００１７】
排水路１１は、右側支柱８の長手方向を貫通するように、水槽１の高さ方向の全域に亘って一連に形成されている。言い換えれば、右側支柱８は、中空状の柱状部材として構成されている。この排水路１１は、標準となる内径の標準径部１５と、標準径部１５よりも一回り大きい内径の拡径部１６とからなる断面円形の水路である。そして、標準径部１５は、右側支柱８の下端から出口管１３の手前まで形成され、拡径部１６は、標準径部１５よりも上側の位置から右側支柱８の上端まで形成されている。
【００１８】
入口管１２は、本発明の流入口の一種であり、ほぼ直角に屈曲させたパイプ材によって構成されている。この入口管１２は、先端部を底板部２に対向させた状態で右側支柱８の側面開口に接合されている。また、この入口管１２の先端部にはフィルタ１７を配設してある。このフィルタ１７は、水槽１の底部に敷き詰められた小石等の異物が排水路１１内に侵入しないようにするためのものであり、比較的目の粗いものが用いられる。
【００１９】
出口管１３は、本発明の排水口の一種であり、直線状のパイプ材によって構成されている。この出口管１３の取り付け高さは、水槽１の上部であって、水槽１使用時における標準的な水位（設計上の使用予定水位）よりも下に設定される。そして、この出口管１３が接合される右側支柱８の側面にも開口が形成されているので、出口管１３の内側空部と排水路１１とは互いに連通されている。また、図５に示すように、この出口管１３は、排水ホース１８を接続可能なホース接続部としても機能する。このため、先端の外側表面には、ホース１８の抜けを防止するための突条１９を設けてある。
なお、この排水ホース１８は、飼育室９内に溜められた水を水槽１外に排出する際に取り付けられるので、通常時には取り外されている。このため、通常時において出口管１３にはキャップ２０が取り付けられている。
【００２０】
閉子１４は、標準径部１５に対応する径の下半部２１と、下半部２１の上に設けられて拡径部１６に対応する径の上半部２２と、上半部２２の上面から上方に突設された把手部２３とで構成され、排水路１１内を上下方向に移動可能に配設されている。
【００２１】
そして、下半部２１の下端部には、本発明の第１シール部の一種である下側Ｏリング２４を取り付けてあり、上半部２２の下端部には、本発明の第２シール部の一種である上側Ｏリング２５を取り付けてある。
【００２２】
下側Ｏリング２４は、閉子１４が下降した閉状態（図４参照）において出口管１３の開口下縁よりも下、具体的には標準径部１５の上端部に位置し、この標準径部１５と嵌合して排水路１１内の水が上昇しないように排水路１１をシールする。
そして、この下側Ｏリング２４は、閉子１４が上昇した開状態（図５参照）では拡径部１６内であって出口管１３の上に位置する。なお、本実施形態では、標準径部１５と拡径部１６とを繋ぐテーパーの上側に下側Ｏリング２４が位置すると、下側Ｏリング２４による排水路１１のシール状態が解かれる。
【００２３】
上側Ｏリング２５は、閉子１４の閉状態と開状態の何れにおいても拡径部１６内に位置する。即ち、閉状態では、出口管１３の開口上縁よりも少し上に位置し、開状態では拡径部１６の上端付近に位置する。そして、この上側Ｏリング２５は、閉子１４の開閉状態に拘わらず拡径部１６と嵌合して、上側Ｏリング２５よりも下側の排水路１１が大気に開放されないようにシールしている。
【００２４】
把手部２３は正面からみて略Ｔ字状の部分であり、閉子１４を上下動させる際に用いられる。この把手部２３のＴ字頭部は、閉子１４が下降した閉状態においても右側支柱８の上端から上方に突出しており、指が容易に掛けられるようになっている。
【００２５】
そして、このような構成の閉子１４は、上下方向に移動させることによって排水路１１を開閉できるので開閉操作が容易であり、また、各Ｏリング２４，２５でシールできるのでシール構造も簡素化できる。
さらに、閉子１４を下降させた閉状態では、下側Ｏリング２４によって排水路１１をシールし、閉子１４を上昇させた開状態では、下側Ｏリング２４よりも上方に設けた上側Ｏリング２５によって排水路１１をシールするので、開閉に必要な閉子１４の移動ストロークを短くすることもできる。
【００２６】
次に、このような構成の水槽１の使用方法について説明する。
【００２７】
飼育室９内に水を溜める場合は、図４に示すように、適当なタイミングで閉子１４を下降させて閉状態とし、排水路１１の入口管１２側と出口管１３との間を遮断する。これは、開状態で飼育室９内に水を入れ続けると、飼育室９内の水位が出口管１３の高さに達した後は、入れた分の水が出口管１３から流出してしまうためである。閉子１４を閉状態にしたならば、標準水位、つまり、出口管１３よりも上方に設定された通常使用時における水位に達するまで飼育室９内に水を入れる。なお、この標準水位は、ある程度の上下許容範囲がある。また、閉子１４を閉じるタイミングは、飼育室９内の水位が出口管１３の高さに達する前ならばいつでも良く、水を入れる前から閉じておいてもよい。
【００２８】
一方、飼育室９内に溜められた水を水槽１外に排出する場合は、図５に示すように、出口管１３に排水ホース１８の一端を接続し、この排水ホース１８の他端（自由端）を底板部２よりも下方に位置させる。
【００２９】
そして、閉子１４を上昇させて開状態に切り換え、排水路１１の入口管１２側と出口管１３とを連通させる。これにより、飼育室９内の水が出口管１３から排水ホース１８へ流れる。
即ち、閉子１４による閉状態では飼育室９内の水位（つまり、標準水位）が排水路１１内の水位よりも高いが、下側Ｏリング２４によりシールされているので、排水路１１内の水は出口管１３に到達しない。そして、この状態で閉子１４を上昇させて開状態にすると、排水路１１と出口管１３とが連通し、出口管１３側は大気に開放されているので、排水路１１内の水位が連通管の原理により上昇する。
これにより、排水路１１内はすぐに水で満たされ、出口管１３から水が流出する。
【００３０】
出口管１３から流出した水は、排水ホース１８内を通って先端から外に排出される。このとき、上側Ｏリング２５が、この上側Ｏリング２５よりも下側の排水路１１をシールして空気の流入を阻止しているので、以後は、サイホンの原理によって飼育室９内の水は連続的に排出される。このようにして排出された水は、例えば、バケツ内に注がれたり、住宅内の排水口に注がれたりする。
【００３１】
ここで、バケツで受けた場合には、飼育槽９内の水が抜け切る前にバケツ内が水で一杯になってしまうことがある。
このような場合は、例えば、閉子１４を一旦下降させて閉じ、排水ホース１８の先端出口を上に向けて保持することで排水を中断できる。そして、バケツの水を棄てたならば、出口を指で閉じたまま排水ホース１８の先端をバケツ内に入れ、閉子１４を上昇させた後に排水ホース１８の先端を開放すると、排水を再開できる。
【００３２】
そして、飼育室９内の水位が入口管１２の先端開口よりも低くなると、入口管１２から空気が流入するので排水が終了する。排水が終了したならば、排水ホース１８を出口管１３から取り外し、キャップ２０を被せる。
【００３３】
このように、例示した水槽１では、水を飼育室９内に溜める場合、閉子１４を閉じた状態で標準水位まで水を注げばよく、溜めた水を排出する場合、出口管１３に排水ホース１８を取り付けた状態で閉子１４を開ければよい。このため、排水の作業が非常に容易であるし、特別な動力も必要ない。
また、この流路が、水槽１の隅角部に配設された右側支柱８に設けられているので、水槽１の美観を損なうことがない。
【００３４】
また、万一、出口管１３から水漏れが生じてしまっても、飼育室９内の水位は出口管１３の開口下端よりも下がらない。このため、飼育室９内に溜めた水が全て流れ出してしまうことはない。
【００３５】
ところで、この種の水槽１では、水槽１内の汚れを防止するため、途中にフィルタを有する循環濾過路で飼育室９内の水を連続的に濾過すること、つまり、飼育室９内の水を取り出してフィルタで濾過し、濾過後の水を飼育室９内に戻すことが行われている。
【００３６】
このように、飼育室９の水を濾過する場合において、入口管１２から排水路１１を通って出口管１３に至る流路を、循環濾過路の一部としても使用できる。例えば、出口管１３にポンプ付外部濾過器を接続することで、上記流路を循環濾過路の一部として使用できる。以下、このように構成した第２実施形態について説明する。
【００３７】
まず、水槽１の構成について説明する。この第２実施形態における水槽１は、基本的には第１実施形態と同様の構成である。
第１実施形態の水槽１との相違は、図６〜図８に示すように、右側支柱８の後上部に後方に向けて出口管３０が突設され、この出口管３０よりも上方に供給管３１が突設されている点、及び、供給管３１に対向する右側支柱８の前上端部に取付開口が開設され、この取付開口にシャワーパイプ３２が取り付けられている点、閉子が出口管３０に作用する下側閉子３３と供給管３１に作用する上側閉子３４とで構成されている点である。
【００３８】
出口管３０と供給管３１は、略直角に屈曲した中空パイプ状であり、右側支柱８との取付部を中心に回転可能に取り付けられている。また、出口管３０には、前記した排水ホース１８以外に、図１０に示すポンプ付外部濾過器３５（以下、外部濾過器３５という。）の吸水チューブ３６も接続可能であり、供給管３１には外部濾過器３５の送水チューブ３７が接続可能である。即ち、出口管３０は、ホース接続部として機能すると共にチューブ接続部としても機能する。
そして、各管先端の外側表面には、抜け防止用の突条３８，３９を設けてある。また、シャワーパイプ３２は、背面板部６の上端部に左右方向に取り付けられている。
【００３９】
この水槽１では、図８に示すように、ロッドによって互いに連結された閉子３３，３４を下降させて閉状態にすると、下側閉子３３の下側Ｏリング４０が出口管３０の開口下縁よりも下に位置し、上側Ｏリング４１が出口管３０の開口上縁よりも少し上に位置する。また、上側閉子３４は、供給管３１の開口上縁よりも少し上に位置する。
この閉状態では、下側閉子３３が排水路１１をシールし、出口管３０との間を遮断する。また、上側閉子３４は供給管３１よりも少し上に位置するＯリング４２で排水路１１をシールしている。従って、この閉状態では、供給管３１とシャワーパイプ３２とは互いに連通されている。
【００４０】
一方、図９に示すように、各閉子３３，３４を上昇させた開状態においては、下側閉子３３が出口管３０と供給管３１の丁度間に位置し、上側閉子３４の一部が右側支柱８よりも突出する。この開状態では、上側Ｏリング４１よりも下側の排水路１１と出口管３０との間が連通される。また、供給管３１とシャワーパイプ３２との間も連通される。
このとき、上側Ｏリング４１は、出口管３０と供給管３１との間で排水路１１をシールして遮断し、Ｏリング４２は、供給管３１よりも上の拡径部１６の部分で、排水路１１が大気に開放されないようにシールしている。
【００４１】
次に、外部濾過器３５について説明する。図１０に示すように、外部濾過器３５は、吸水チューブ３６及び送水チューブ３７からなるチューブと、吸水チューブ３６と送水チューブ３７との間に配設されたフィルタ４３と、ポンプ４４とを備えている。そして、ポンプ４４の作動により、吸水チューブ３６側から送水チューブ３７側に向けて水が送り出される。
【００４２】
この外部濾過器３５を使用する際には、吸水チューブ３６の先端部を出口管３０に接続し、送水チューブ３７の先端部を供給管３１に接続する。これにより、飼育室９内の入口管１２から排水路１１を介して外部濾過器３５を通り、シャワーパイプ３２を介して飼育室９に戻る一連の循環濾過路が形成され、入口管１２から出口管３０までの流路は、この循環濾過路の一部となる。
【００４３】
そして、外部濾過器３５を接続した状態でポンプ４４を作動させると、飼育室９内から吸引された水は、入口管１２から出口管３０及び吸水チューブ３６を順に通ってフィルタ４３に供給される。そして、このフィルタ４３で濾過された水は、送水チューブ３７から供給管３１、シャワーパイプ３２を通って飼育室９内に戻される。
これにより、飼育室９内の水の汚れを長期間に亘って防止することができる。
【００４４】
一方、飼育室９内に溜められた水を水槽１外に排出する場合には、上記した第１実施形態と同様に、出口管３０に排水ホース１８（図５参照）の基端を接続し、この排水ホース１８の先端を底板部２よりも下側に位置付けた状態で、各閉子３３，３４を上昇させて開く。これにより、飼育室９内の水が出口管３０から排水ホース１８内を通って外部に排出される。
【００４５】
そして、この第２実施形態でも、飼育室９内に溜めた水を排出する際には、出口管３０に排水ホース１８を付けた状態で各閉子３３，３４を開けばよい。このため、排水の作業が非常に容易であるし、特別な動力も必要ない。
【００４６】
さらに、第２実施形態では、入口管１２から排水路１１を通って出口管３０に至る流路を、循環濾過路の一部として使用すると共に、排水用の流路としても使用している。つまり、１つの流路を複数の用途に用いているので、水槽１の構造の簡素化が図れる。また、この流路は、右側支柱８に設けられているので、水槽１の美観を損なうことがない。
【００４７】
なお、本発明は、上記実施形態に限らず、特許請求の範囲内で種々の変形が可能である。
【００４９】
例えば、本発明の閉子１４は、前記実施形態では、下側Ｏリング２４と上側Ｏリング２５とを備えたものであるが、下側Ｏリングだけを備えた閉子であっても同様に構成できる。
この場合、排水路１１の内径は均一であり、閉子を下降させて閉状態にすると、下側Ｏリングが出口管１３よりも下に位置してシールし、排水路１１内の水の上昇を阻止する。一方、閉子を上昇させて開状態にすると、下側Ｏリングが出口管１３よりも上に位置してシールし、出口管１３側に空気が流入するのを阻止する。閉子を閉状態から開状態に切り換える途中で出口管１３が一時的に大気に開放されるが、連通管の原理で排水路１１内の水位は出口管１３よりも上昇しようとするため支障無く排水できる。
【００５０】
なお、飼育室９内の水位が出口管１３よりも低くなると、閉子の開閉によって大気に開放された際に排水路１１の内の水位が下がってしまうので、この構成では、排水を中断することなく連続して行うのが好ましい。
また、シールはＯリングに限らず、Ｕパッキンであってもよい。
【００５１】
また、入口管１２の先端部分に設けたフィルタ１７は、必要に応じて取り付ければよい。そして、このフィルタ１７を無くした場合には、水槽１底部の小石を入口管１２の先端部分よりも高く敷き詰めることが好ましい。これは、敷き詰められた小石がフィルタ１７と同様の作用を奏するためである。
【００５２】
また、入口管１２を無くし、右側支柱８の側面に設けられた開口から水を流入させるようにしてもよい。この場合、右側支柱８の側面開口が本発明の流入口として機能する。また、この場合においても、水槽１底部の小石を排水路１１の側面開口よりも高く敷き詰めることが好ましい。そして、入口管１２を無くした構成では、右側支柱８に突起が無くなるので、水槽１内がすっきりして美観の向上が図れる。
【００５３】
さらに、上記水槽１は、観賞魚を飼育するためのものに限らず、虫等の水生生物を飼育するものとしても使用できる。
【００５４】
【発明の効果】
以上説明したように、本発明によれば以下の効果を奏する。
即ち、支柱の下端部に排水路と飼育室内とを連通する流入口を設け、支柱の上部であって標準水位よりも下の位置に排水路と飼育室外とを連通する排水口を突設し、該排水口を、排水ホースを接続可能に構成し、該排水路内に嵌合して上下動可能な閉子を設け、該閉子に、該閉子を下降させた閉状態では排水口よりも下の位置で排水路をシールし、閉子を上昇させた開状態では排水口よりも上の位置で排水路をシールするシール部を設けたので、排水口に排水ホースを接続した状態で閉子を上昇させて排水路と排水口とを連通させると、飼育室内の水位と排水路内の水位との高低差によって排水路内の水位が上昇する。そして、排水路内の水位が排水口まで達すると、この水は排水ホースを通じて流下して水槽外に排出される。そして、以後は、サイホンの原理で水が連続的に排出される。
このため、排水の作業が非常に容易であるし、特別な動力も必要ない。また、排水用の流路が支柱に設けられているので、水槽の美観を損なうことなく流路を設けることができる。
【００５７】
また、排水路を標準径部とその上部の拡径部とで構成し、閉子は、標準径部に嵌合してシールする第１シール部と拡径部に嵌合してシールする第２シール部とを備え、閉子を下降させた状態で第１シール部が排水口よりも下でシールして閉状態となり、閉子を上昇させた状態で第２シール部が排出口よりも上でシールして開状態となるように排水口を配置した場合には、開状態と閉状態との間で閉子の上下方向の移動ストロークを短くすることができる。
【図面の簡単な説明】
【図１】本発明が適用される観賞魚用水槽の平面図である。
【図２】本発明が適用される観賞魚用水槽の正面図である。
【図３】本発明が適用される観賞魚用水槽の右側面図である。
【図４】右側支柱に形成された排水機構を説明する図１のＡ−Ａ断面図である。
【図５】閉子が上昇した状態の排水機構を説明する断面図である。
【図６】第２実施形態を説明する図であり、水槽の要部を示す平面図である。
【図７】第２実施形態を説明する図であり、水槽の要部を示す背面図である。
【図８】第２実施形態を説明する図であり、閉状態の排水路を示す断面図である。
【図９】第２実施形態を説明する図であり、開状態の排水路を示す断面図である。
【図１０】ポンプ付外部濾過器の斜視図である。
【符号の説明】
１    鑑賞魚用水槽
２    底板部
３    鍔部
４    底板部材
５    主側板部
６    背面板部
７    左側支柱
８    右側支柱
９    飼育室
１１  排水路
１２  入口管
１３  出口管
１４  閉子
１５  標準径部
１６  拡径部
１７  フィルタ
１８  排水ホース
１９  突条
２０  キャップ
２１  下半部
２２  上半部
２３  把手部
２４  下側Ｏリング
２５  上側Ｏリング
３０  出口管
３１  供給管
３２  シャワーパイプ
３３  下側閉子
３４  上側閉子
３５  外部濾過器
３６  吸水チューブ
３７  送水チューブ
３８  突条
３９  突条
４０  下側Ｏリング
４１  上側Ｏリング
４２  Ｏリング
４３  フィルタ
４４  ポンプ
【図１】
0003725794.tif 000002
【図２】
0003725794.tif 000003
【図３】
0003725794.tif 000004
【図４】
0003725794.tif 000005
【図５】
0003725794.tif 000006
【図６】
0003725794.tif 000007
【図７】
0003725794.tif 000008
【図８】
0003725794.tif 000009
【図９】
0003725794.tif 000010
【図１０】
0003725794.tif 000011